(57)【要約】【課題】単一の駆動源によって盤面部品を、戻り移動を含まない二方向へ移動させることで、設置スペースやコストの低減を図る。【解決手段】単一の駆動モータ４５と、当該駆動モータ４５により作動させられて盤面部品１Ａ，１Ｂを一方向へ移動させ、続いて盤面部品１Ａ，１Ｂを上記一方向の戻り方向を含まない他方向へ移動させる移動案内機構とを具備している。上記移動案内機構を、駆動モータ４５によって作動させられる移動案内部材３，４で構成し、これら移動案内部材３，４は、上記駆動モータ４５によって一体に作動させられて盤面部品１Ａ，１Ｂを上記一方向へ移動させた後、相対移動を開始して盤面部品１Ａ，１Ｂを上記他方向へ移動させる。【選択図】        図１
2004337191.tif 000002
【特許請求の範囲】
【請求項１】
単一の駆動源と、当該駆動源により作動させられて盤面部品を一方向へ移動させ、続いて前記盤面部品を前記一方向の戻り方向を含まない他方向へ移動させる移動案内機構とを具備する遊技盤の盤面部品駆動装置。
【請求項２】
前記移動案内機構を、前記駆動源によって作動させられる第１移動案内部材と第２移動案内部材とで構成し、これら第１移動案内部材および第２移動案内部材は、前記駆動源によって一体に作動させられて前記盤面部品を前記一方向へ移動させた後、相対移動を開始して前記盤面部品を前記他方向へ移動させるものである請求項１に記載の遊技盤の盤面部品駆動装置。
【請求項３】
前記第１移動案内部材および第２移動案内部材にはそれぞれ案内部が形成されて、これら案内部の交差位置に前記盤面部品が位置しており、前記第１移動案内部材および第２移動案内部材の一体移動により前記盤面部品が前記一方向へ移動させられるとともに、前記第１移動案内部材および第２移動案内部材の相対移動が開始されて前記案内部の交差位置が移動するのに応じて前記盤面部品が前記他方向へ移動させられるようになっている請求項２に記載の遊技盤の盤面部品駆動装置。
【請求項４】
前記盤面部品は、前記第１移動案内部材および第２移動案内部材の一体回転移動により前記一方向へ旋回移動させられて所定位置へ至り、前記第１移動案内部材および第２移動案内部材の相対回転移動の開始により前記所定位置から前記他方向へ直線移動させられるようになっている請求項２又は３に記載の遊技盤の盤面部品駆動装置。
【請求項５】
前記盤面部品は前記一方向へ移動する前記第１移動案内部材に前記他方向へ移動可能に設けられており、前記盤面部品は前記第１移動案内部材と前記第２移動案内部材との相対移動が開始されると当該第２移動案内部材に設けた案内部によって前記他方向へ移動させられるようになっている請求項２に記載の遊技盤の盤面部品駆動装置。
【発明の詳細な説明】
【０００１】
【発明の属する技術分野】
本発明は遊技盤の盤面部品駆動装置に関し、特に、単一の駆動源で盤面部品を二方向へ移動させることが可能な遊技盤の盤面部品駆動装置に関する。
【０００２】
【従来の技術】
パチンコ遊技機等の遊技盤には例えば大当たり状態で盤面部品としてのキャラクタを盤面から突出させ、あるいは盤面上で移動させて、遊技の興趣を高めるようにしたものがある。例えば特許文献１には、人形状の流下方向変更部材をモータによって支柱を中心に左右方向へ往復回動させるとともに、ソレノイドによって上記支柱を上下動させて流下方向変更部材を飛び跳ね移動させる駆動装置が示されている。
【特許文献１】特許２６６０９１９号
【０００３】
【発明が解決しようとする課題】
しかし、上記従来の駆動装置では、キャラクタを、戻り移動（例えば往復移動）を含まない異なる方向へ移動させるために、各移動方向に対してそれぞれ駆動源としてのモータやソレノイドを設ける必要があるため、設置スペースが大きくなり、製造コストも高くなるという不具合があった。
【０００４】
そこで本発明はこのような課題を解決するもので、単一の駆動源で盤面部品を戻り移動を含まない二方向へ移動させることができ、設置スペースやコストの低減を図ることができる遊技盤の盤面部品駆動装置を提供することを目的とする。
【０００５】
【課題を解決するための手段】
上記課題を解決するために、本第１発明では、単一の駆動源（４５，６２，７８）と、当該駆動源（４５，６２，７８）により作動させられて盤面部品（１Ａ，１Ｂ，５６Ａ，５６Ｂ，６４，７６）を一方向へ移動させ、続いて盤面部品（１Ａ，１Ｂ，５６Ａ，５６Ｂ，６４，７６）を上記一方向の戻り方向を含まない他方向へ移動させる移動案内機構（３，４，５１，５２，６１，６３，７１，７２）とを具備している。本第１発明においては、単一の駆動源で盤面部品を、戻り移動を含まない二方向へ移動させることができ、設置スペースやコストの低減を図ることができる。
【０００６】
本第２発明では、本第１発明において、上記移動案内機構を、上記駆動源（４５，６２）によって作動させられる第１移動案内部材（３，５１，６３）と第２移動案内部材（４，５２，６１）とで構成し、これら第１移動案内部材（３，５１，６３）および第２移動案内部材（４，５２，６１）は、上記駆動源（４５，６２）によって一体に作動させられて盤面部品（１Ａ，１Ｂ，５６Ａ，５６Ｂ，６４）を上記一方向へ移動させた後、相対移動を開始して盤面部品（１Ａ，１Ｂ，５６Ａ，５６Ｂ，６４）を上記他方向へ移動させるものである。
【０００７】
本第３発明では、本第２発明において、上記第１移動案内部材（３）および第２移動案内部材（４）にはそれぞれ案内部（３６，４１）が形成されて、これら案内部（３６，４１）の交差位置に盤面部品（１Ａ，１Ｂ）が位置しており、第１移動案内部材（３）および第２移動案内部材（４）の一体移動により盤面部品（１Ａ，１Ｂ）が上記一方向へ移動させられるとともに、第１移動案内部材（３）および第２移動案内部材（４）の相対移動が開始されて案内部（３６，４１）の交差位置が移動するのに応じて盤面部品（１Ａ，１Ｂ）が上記他方向へ移動させられるようになっている。
【０００８】
本第４発明では、本第２又は本第３発明において、上記盤面部品（１Ａ，１Ｂ）は、第１移動案内部材（３）および第２移動案内部材（４）の一体回転移動により上記一方向へ旋回移動させられて所定位置へ至り、第１移動案内部材（３）および第２移動案内部材（４）の相対回転移動の開始により所定位置から上記他方向へ直線移動させられるようになっている。
【０００９】
本第５発明では、本第２発明において、上記盤面部品（６４）は上記一方向へ移動する第１移動案内部材（６３）に上記他方向へ移動可能に設けられており、盤面部品（６４）は第１移動案内部材（６３）と第２移動案内部材（６１）との相対移動が開始されると当該第２移動案内部材（６１）に設けた案内部（６１２）によって上記他方向へ移動させられるようになっている。
【００１０】
本第６発明では、本第２発明において、第１移動案内部材（５１）および第２移動案内部材（５２）にはそれぞれ案内部（５１１，５２２）が形成されて、これら案内部（５１１，５２２）の交差位置に中間部材（５４）が位置しており、第１移動案内部材（５１）および第２移動案内部材（５２）の一体移動により盤面部品（５６Ａ，５６Ｂ）が上記一方向へ移動させられるとともに、第１移動案内部材（５１）および第２移動案内部材（５２）の相対移動が開始されて案内部（５１１，５２２）の交差位置が移動するのに応じて中間部材（５４）が移動させられてこれにより盤面部品（５６Ａ，５６Ｂ）を上記他方向へ移動させるようになっている。
【００１１】
本第７発明では、本第１発明において、上記移動案内機構を、上記駆動源（７８）によって作動させられる第１移動案内部材（７１）と第２移動案内部材（７２）とで構成し、盤面部品（７６）は第１移動案内部材（７１）に一体化して上記一方向へ移動させられた後、第１移動案内部材（７１）との一体化を解消して第２移動案内部材（７２）に一体化して上記他方向へ移動させられようになっている。
【００１２】
なお、上記カッコ内の符号は、後述する実施形態に記載の具体的手段との対応関係を示すものである。
【００１３】
【発明の実施の形態】
（第１実施形態）
図１には盤面部品駆動装置の垂直断面図を示し、その断面部は図２のＩ−Ｉ線、および図３のＩ−Ｉ線に沿うものである。また第２図，第３図にはそれぞれ図１のＩＩ−ＩＩ線、ＩＩＩ−ＩＩＩ線に沿う断面図を示す。本実施形態において、盤面部品１Ａ，１Ｂは遊技盤Ｐ０に設置された収納ケーシング２内に同形のものが一対配設されている。収納ケーシング２は隔壁２１によって上室２２と下室２３に区画されており、円板形の移動案内部材３が隔壁２１に沿う水平姿勢で上室２２内に設けられて、これに盤面部品１Ａ，１Ｂが載置されている。各盤面部品１Ａ，１Ｂは平面視（図２）で三面が矩形をなし、残る一面が移動案内部材３の外周に沿った円弧面となっており、これら盤面部品１Ａ，１Ｂは移動案内部材３の中心に対して対称形に配置されている。
【００１４】
移動案内部材３にはその中心から上下方向へ延びる軸体３１が設けてあり、軸体３１はその上端面中心に突設された芯部３１１（図１）が収納ケーシング２の頂壁２４に設けた軸受体３２の凹部に回転可能に挿入されている。軸受体３２は頂壁２４の凹所２４１内で上方へ一定量移動可能である。移動案内部材３から下方へ延びる軸体３１は途中で段付きに小径となって、下室２１内に配設された移動案内部材４を貫通している。そして、軸体３１の段付き面の外周部には半円形の係合凹部３１２が形成されている。軸体３１の下端には上方へ開放する容器状のバネ受体３３が固定されており、バネ受体３３と移動案内部材４との間にコイルバネ３４が配設されて軸体３１を下方へ引っ張っている。なお、移動案内部材３の外周には径方向対称位置にストッパ突起３５１（図２）が形成されている。
【００１５】
盤面部品１Ａ，１Ｂは軸体３１に向けて開放する中空体で、その内部には脚部材１１が収納固定されている。脚部材１１は上半部が軸体３１に向けて開放する矩形の箱状をなし、内部には水平に突出させた位置決め棒部１１１（図１）の周囲にコイルバネ１１３が配設されて、盤面部品１Ａ，１Ｂを軸体３１から離れる径方向外方へ付勢している。脚部材１１からは丸棒状の脚部１１２が盤面部品１Ａ，１Ｂの底壁と隔壁２１を貫通して下方へ延びている。移動案内部材３には盤面部品１Ａ，１Ｂの中央直下（図２）を中心から外方へ延びる案内部としての長孔状のガイド孔３６が形成されて、当該ガイド孔３６の内端を上記脚部１１２が貫通している。隔壁２１には軸体３１の周囲を円形に囲みその一部が移動案内部材３のガイド孔３６の直下でこれに一致して延びる開口２１１（図３）が形成されて、上記各脚部１１２は開口２１１内を下方へ貫通している。
【００１６】
移動案内部材４は円形の板体で、その上面には立壁４１１によって平面視でＵ字形をなす（図３）一定幅の案内部たるガイド溝４１が形成されている。ガイド溝４１はそのＵ字の底部４１２が移動案内部材４の中心部で上記隔壁２１の開口２１１に沿って円弧状に湾曲し、Ｕ字底部４１２の両端から移動案内部材４の外周へ向けて平行にＵ字の脚部４１３が延びている。この脚部４１３の形成方向は移動案内部材３の上記各ガイド孔３６（図２）の形成方向と直交しており、上記脚部材１１から延びる脚部１１２の下端は、ガイド溝４１のうち平面視でガイド孔３６が交差する脚部４１３の内端に位置している。
【００１７】
移動案内部材４の下面中心部には立壁４２１（図１）によって、軸体３１と同心の円形摺動溝４２が形成されており、収納ケーシング２内に水平に設けた支持壁２５の、段付き円筒状に形成した中心部２５１が摺動溝４２内に進入するとともに、立壁４２１の下端が中心部２５１の段付き面上に載っている。このような支持壁２５によって、移動案内部材４は水平面内で軸体３１と同心に回転可能に支持されている。移動案内部材４の外周部には垂れ壁４３が形成されており、垂れ壁４３の外周には全周に歯形が形成されて、当該歯形に歯車４４が噛合している。歯車４４は収納ケーシング２の外壁に設けた駆動モータ４５の出力軸に装着されており、駆動モータ４５を起動すると移動案内部材４が回転するようになっている。なお、移動案内部材４の中心部上面には、軸体３１の段付き面外周部に形成された上記係合凹部３１２に進入してこれに嵌合する半円形の係合凸部４６が形成されている。
【００１８】
盤面部品１Ａが対向する遊技盤Ｐ０の表面側に位置される収納ケーシング２の壁部（以下、ケーシング壁部という）Ｐには開口Ｐ１が形成されてこれを閉鎖する蓋体Ｃが設けられている。蓋体Ｃはその下端が開口Ｐ１下縁に軸支されて（図４）前方へ倒伏開放可能となっており、その下縁後面から斜め下方へ延びる腕部Ｃ１の先端には、一端が収納ケーシング２（図１）に固定されたコイルバネＣ３の他端が係止されている。
【００１９】
このような構造の盤面部品駆動装置において、初期位置では移動案内部材１Ａ，１Ｂは図５、図６に示すように、図２、図３に示した位置よりも９０度反時計方向へ回転した位置にある。この状態から遊技状態が変化すると駆動モータ４５が正転させられて移動案内部材４が平面視で時計方向へ回転させられる。その回転は係合凸部４６（図１）が係合凹部３１２と嵌合していることにより軸体３１を介して移動案内部材３に伝達されて両者が一体に時計方向へ回転し、移動案内部材３上の盤面部品１Ａ，１Ｂは軸体３１を中心に同方向（一方向）へ旋回移動させられる。移動案内部材３，４が９０度回転して盤面部品１Ａが蓋体Ｃに対向する位置に至ると（図２、図３）、移動案内部材３はストッパ突起３５１が収納ケーシング２の図略のストッパ面に当接してそれ以上の回転が規制される。
【００２０】
そこでさらに移動案内部材４が時計方向へ回転させられると図７に示すように、移動案内部材３の回転が停止した状態で移動案内部材４のみが時計方向へ回転させられて係合凸部４６と係合凹部３１２の嵌合が外れ、軸体３１が上方へ持ち上げられて両者の相対回転移動が開始される。これにより、ガイド孔３６とガイド溝４１の交差位置が、蓋体Ｃに向かって延びるガイド孔３６の内端から外端へと漸次変化し、これに伴って上記交差位置に位置する脚部材１１の脚部１１２がガイド孔３６に沿って外方（他方向）へ直線移動して（図８、図９）、盤面部品１Ａが蓋体Ｃを押し開けてケーシング壁部Ｐから露出する（図１０）。駆動モータ４５を逆転させると、上記行程と逆を辿って、盤面部品１Ａがガイド孔３６に沿ってケーシング壁部Ｐ内へ後退した後、係合凸部４６（図７）が係合凹部３１２と再び嵌合し、移動案内部材４と一体となった移動案内部材３の反時計方向への回転に伴って、盤面部品１Ａが初期位置（図５）へ戻る。なお、移動案内部材３，４の初期位置（図５，図６）で駆動モータ４５を逆転させて、移動案内部材３，４を上記初期位置から平面視で反時計方向へ回転させるようにすれば、上記と同様の行程で盤面部品１Ｂをケーシング壁部Ｐから露出させることができる。
【００２１】
（第２実施形態）
図１１には盤面部品駆動装置の平面図を示す。図１１において、盤面部品駆動装置は支軸５３を中心に回転可能な円形板体の移動案内部材５１と、その板面上方に位置して上記支軸５３を中心に回転可能な移動案内部材５２を備えている。移動案内部材５１には板面の一箇所に、径方向へ延びる案内部としての長孔状のガイド孔５１１が形成されている。移動案内部材５２は直角のコーナ部を有する略Ｖ字形板体で、その板面には直角に屈曲して両脚部へ延びる案内部としての長孔状のガイド孔５２２が形成されている。ガイド孔５２２はその屈曲部でガイド孔５１１と交差し、両ガイド孔５１１，５２２を貫通する中間部材としての円形の押しピン５４が上記交差位置に位置している。押しピン５４の基端５４１は四角形に形成され、この基端５４１と支軸５３に両端を固定してコイルバネ５５が収縮状態で配設されている。押しピン５４はコイルバネ５５のバネ力によって、ガイド孔５２２の屈曲部に形成された円弧状の係合凹部５２３内に嵌入させられて位置決めされている。
【００２２】
移動案内部材５２の両脚部５２１のガイド孔５２２にはこれに沿って移動可能にそれぞれ盤面部品５６Ａ，５６Ｂが設けられている。なお、各盤面部品５６Ａ，５６Ｂは図略のバネ部材によって図１１に示す初期位置に保持されている。移動案内部材５１は図略の駆動モータに連結されており、図１１の初期位置から時計方向ないし反時計方向へ回転させられるようになっている。また、移動案内部材５２は図１１の初期位置から時計方向ないし反時計方向へ４５度回転すると図略のストッパ部材によって回転が規制されるようになっている。
【００２３】
このような盤面部品駆動装置において、移動案内部材５１を初期位置から反時計方向へ回転させると、押しピン５４を介して移動案内部材５２も同方向へ回転させられ、移動案内部材５２に設けられた盤面部品５６Ａ，５６Ｂが同方向（一方向）へ旋回移動させられる。４５度回転すると（図１２）移動案内部材５２は回転が規制され、一方、移動案内部材５１は回転を持続して両者が相対回転移動を開始する。このため、押しピン５４がコイルバネ５５のバネ力に抗して係合凹部５２３内から脱出し、ガイド孔５１１，５２２の交差位置が脚部５２１に形成されたガイド孔５２２に沿って移動するのに伴って、当該交差位置に位置させられる押しピン５４が盤面部品５６Ａの押し突起５６１に当接する（図１３）。さらに移動案内部材５１が回転すると、盤面部品５６Ａは押しピン５４に押されてガイド孔５２２に沿う方向（他方向）へ直線前進移動する（図１４）。移動案内部材５１を時計方向へ逆回転させると、上記行程を逆に辿って図１１の初期状態になる。初期状態から移動案内部材５１を時計方向へ回転させると、上記と同様の行程で盤面部品５６Ｂが旋回移動の後、直線前進移動させられる。なお、移動案内部材５１，５２の設置姿勢は水平等に限定されるものではない。
【００２４】
（第３実施形態）
図１５には盤面部品駆動装置の側面図を示し、図１６にはその正面図を示す。盤面部品駆動装置は移動案内部材６１を備えている。移動案内部材６１は矩形の板体で、図略のガイド機構によって起立姿勢を保ちつつ上下方向へ移動可能に保持されている。移動案内部材６１には背面に上下方向へ延びる歯形６１１が形成されて、これに、駆動モータの出力軸に装着された歯車６２が噛合している。移動案内部材６１の前面中央部の上端位置には下面６１２ａを傾斜面とした一定幅の案内突起６１２が突設されており、また移動案内部材６１の下端は水平に屈曲させられてストッパ壁６１３となっている。移動案内部材６１の前面にはこれよりやや小さい厚肉矩形板体の移動案内部材６３が摺動可能に設けてあり、その下端は移動案内部材６１のストッパ壁６１３に当接している。
【００２５】
移動案内部材６１の案内突起６１２が突出する部分では移動案内部材６３の板面が矩形に切り欠かれており、当該切欠き６３１の両側の板面を前後方向へ摺動可能に支持シャフト６４１が貫通している。各支持シャフト６４１の先端には正面視で長円形の盤面部品６４がその背面左右位置を固定されており、盤面部品６４の背面中央には、上面６４３ａを上記案内突起６１２の下面６１２ａに倣って傾斜する傾斜面とした被案内突起６４３が突設されている。移動案内部材６３の後方へ突出した上記支持シャフト６４１の後半部外周にはこれを後方へ付勢するコイルバネ６４２が配設されており、これにより盤面部品６４は被案内突起６４３の先端が移動案内部材６１の前面に当接する図１５の後退位置へ引き込まれている。なお、支持シャフト６４１は移動案内部材６１に上下方向へ形成された長孔６１４の下端部に挿通されており、また、移動案内部材６１の前面下端部に突設されたガイドピン６１５が移動案内部材６３の下端板面中央に上下方向へ形成された長孔６３２の上端部に挿通されている。移動案内部材６３の下端は水平に屈曲させられてストッパ壁６３３となっており、当該ストッパ壁６３３の下方には第１実施形態で説明したと同様のケーシング壁部Ｐの裏面から突出させられたストッパ壁Ｐ２が位置している。ケーシング壁部Ｐには、初期位置にある図１５の盤面部品６４の下方に開口Ｐ１が形成されている。
【００２６】
このような構造の盤面部品駆動装置において、駆動モータによって回転させられる歯車６２によって移動案内部材６１を下方へ移動させると、ストッパ壁６１３上に保持された移動案内部材６３および盤面部品６４は移動案内部材６１と一体に下方（一方向）へ移動させられる。移動途中でストッパ壁６３３がケーシング壁部Ｐのストッパ壁Ｐ２に当接すると（図１７）移動案内部材６３の移動が規制されて停止する。この状態で盤面部品６４がケーシング壁部Ｐの開口Ｐ１に正対するとともに、移動案内部材６１は下方への移動を持続するから移動案内部材６３との相対移動が開始される。これにより、移動案内部材６１の案内突起６１２の傾斜した下面６１２ａが盤面部品６４の被案内突起６４３の傾斜した上面６４３ａに当接して（図１８）、盤面部品６４をコイルバネ６４２のバネ力に抗して前方の開口Ｐ１からケーシング壁部Ｐの前方（他方向）へ押し出す。この状態から歯車６２を逆転させて移動案内部材６１を上方へ移動させれば、上記行程を逆に辿って盤面部品６４は開口Ｐ１からケーシング壁部Ｐ内へ引き込まれ、初期位置（図１５）へ戻される。
【００２７】
（第４実施形態）
図１９において、移動案内部材を構成する歯付きベルト７１がプーリ７１１，７１２間に架設されて上下方向へ配設されている。また、移動案内部材を構成する歯付きベルト７２が歯付きベルト７１と直交するようにプーリ７２１，７２２間に水平に架設されて、歯付きベルト７２の一端部が歯付きベルト７１の上端近くに位置している。そして、歯付きベルト７１に沿ってガイド溝７３が上下方向へ延び、当該ガイド溝７３は歯付きベルト７１の上端近くで、水平に延びる平行なガイド溝７４１，７４２に連通している。ガイド溝７３には円形の基板面７５に突設された軸体７５１が摺動可能に装着されており、円形の基板７５には水平姿勢の支持アーム７６１の基端が固定されている。支持アーム７６１の先端には三角形の盤面部品７６が固定されている。
【００２８】
歯付きベルト７１には歯車７７１が噛合し、歯車７７１は駆動モータ７８によって回転させられる。駆動モータ７８とベルト７７４で連結されて回転する歯車７７２が設けられ、当該歯車７７２に噛合した歯車７７３が歯付きベルト７２と噛合している。駆動モータ７８を正転（反時計回転）させると、歯車７７１，７７２，７７３の回転（図１９の矢印）に伴って歯付きベルト７１，７２が図１９の矢印で示す方向へ回転する。一方、上記基板７５の外周には図２０に示すように互いに９０度離れた位置に側方と上方へ向く係止突起７５１，７５２が形成されて、基板７５（すなわち盤面部品７６）が初期位置にある図１９に示す状態では、係止突起７５１が歯付きベルト７１の隣り合う歯形７１３（図２０）間に位置している。
【００２９】
このような構造の盤面部品駆動装置において、駆動モータ７８を正転させて歯付きベルト７１，７２を図１９の矢印で示す方向へ移動させると、係止突起７５１が歯付きベルト７１の歯形７１３と係合して、基板７５（すなわち盤面部品７６）はガイド溝７３に沿って歯付きベルト７１のベルト部と一体に上方（一方向）へ移動させられる。基板７５がガイド溝７３の上端に至ると（図１９のＸ位置）、図２０に示すように係止突起７５２が歯付きベルト７２の前後の歯形７２３間に進入して歯形７２３と係合し、これによって基板７５がガイド溝７４１，７４２に沿って水平前方（他方向）（図１９、図２０の右方）への移動を開始し、同時に係止突起７５１と歯付きベルト７１の歯形７１３との係合が解消される。基板７５がガイド溝７４１，７４２の前端に至ると（図１９のＹ位置）駆動モータ７８が停止させられ、盤面部品７６は最前位置に進出する。
【００３０】
盤面部品７６を初期位置まで後退下降させる場合には、駆動モータ７８を逆転させて、歯付きベルト７２を図１９の矢印とは反対方向へ移動させると、基板７５がガイド溝７４１，７４２の後端へ至った時に、係止突起７５１が歯付きベルト７１の前後の歯形７１３間に進入して歯形７１３と係合し、これによって基板７５がガイド溝７３に沿って垂直下方への移動を開始する。この時、同時に係止突起７５２と歯付きベルト７２の歯形７２３との係合が解消される。基板７５がガイド溝７３の下端に至ると駆動モータ７８が停止させられ、盤面部品７６は初期位置に戻される。なお、歯付きベルト７１，７２の設置姿勢は本実施形態のものには限定されず、例えば左右方向から前後方向に設置してもよい。また、第１実施形態から第４実施形態において、キャラクタ等の盤面部品の移動位置を検出するためのセンサを設けて、その検出信号に基づいて駆動装置を制御するようにしてもよい。
【００３１】
【発明の効果】
以上のように、本発明の遊技盤の盤面部品駆動装置によれば、単一の駆動源で盤面部品を戻り移動を含まない二方向へ移動させることができるから、設置スペースやコストの低減を図ることができる。
【図面の簡単な説明】
【図１】本発明の一実施形態を示す盤面部品駆動装置の垂直断面図で、断面部は図２、図３のＩ−Ｉ線に沿うものである。
【図２】図１のＩＩ−ＩＩ線に沿う断面図である。
【図３】図１のＩＩＩ−ＩＩＩ線に沿う断面図である。
【図４】蓋体設置部の垂直断面図である。
【図５】移動案内部材が初期位置にある状態での図１のＩＩ−ＩＩ線に沿う盤面部品駆動装置の水平断面図である。
【図６】移動案内部材が初期位置にある状態での図１のＩＩＩ−ＩＩＩ線に沿う盤面部品駆動装置の水平断面図である。
【図７】移動案内部材の相対移動時における盤面部品駆動装置の垂直断面図である。
【図８】盤面部品が遊技盤の表面に突出した状態の図１のＩＩ−ＩＩ線に沿う盤面部品駆動装置の水平断面図である。
【図９】盤面部品が遊技盤の表面に突出した状態の図１のＩＩＩ−ＩＩＩ線に沿う盤面部品駆動装置の水平断面図である。
【図１０】盤面部品が遊技盤の表面に突出した状態の蓋体設置部の垂直断面図である。
【図１１】本発明の第２実施形態を示す盤面部品駆動装置の平面図である。
【図１２】移動案内部材５２停止時の盤面部品駆動装置の平面図である。
【図１３】移動案内部材の相対移動時における盤面部品駆動装置の平面図である。
【図１４】盤面部品が遊技盤の表面に突出した状態の盤面部品駆動装置の平面図である。
【図１５】本発明の第３実施形態を示す盤面部品駆動装置の垂直断面図である。
【図１６】盤面部品駆動装置の正面図である。
【図１７】移動案内部材６３停止時の盤面部品駆動装置の垂直断面図である。
【図１８】盤面部品が遊技盤の表面に突出した状態の盤面部品駆動装置の垂直断面図である。
【図１９】本発明の第３実施形態を示す盤面部品駆動装置の概略側面図である。
【図２０】盤面部品駆動装置の部分拡大概略側面図である。
【符号の説明】
１Ａ，１Ｂ…盤面部品、３，４…移動案内部材、３６…ガイド孔、４１…ガイド溝、４５…駆動モータ、５１，５２…移動案内部材、５１１，５２２…ガイド孔、５４…押しピン、５６Ａ，５６Ｂ…盤面部品、６１，６３移動案内部材、６１２…案内突起、６２…歯車、６４…盤面部品、７１，７２…歯付きベルト、７６…盤面部品、７８…駆動モータ。
【図１】
2004337191.tif 000003
【図２】
2004337191.tif 000004
【図３】
2004337191.tif 000005
【図４】
2004337191.tif 000006
【図５】
2004337191.tif 000007
【図６】
2004337191.tif 000008
【図７】
2004337191.tif 000009
【図８】
2004337191.tif 000010
【図９】
2004337191.tif 000011
【図１０】
2004337191.tif 000012
【図１１】
2004337191.tif 000013
【図１２】
2004337191.tif 000014
【図１３】
2004337191.tif 000015
【図１４】
2004337191.tif 000016
【図１５】
2004337191.tif 000017
【図１６】
2004337191.tif 000018
【図１７】
2004337191.tif 000019
【図１８】
2004337191.tif 000020
【図１９】
2004337191.tif 000021
【図２０】
2004337191.tif 000022